(57)【要約】【課題】  ＡＤＦにセットできない原稿データを、圧板にセットした原稿の任意の頁間に容易に挿入することが可能な画像形成装置を提供する。【解決手段】  ＡＤＦ６０を備えた画像形成装置において、ＡＤＦ６０でセットした原稿の読み込み時に圧板にて既に蓄積した画像データファイルを操作部上で指定した任意の頁に挿入しメモリに蓄積または印字出力する制御を司るコントローラ１０を備えた。【選択図】        図１
2005318425.tif 000002
【特許請求の範囲】
【請求項１】
シートスルー原稿を自動給紙するＡＤＦを備えた画像形成装置において、前記ＡＤＦにセットした原稿の読み込み時に、既に圧板により固定されて読み込まれて蓄積した画像データファイルを、操作部上で指定した任意の頁に挿入し、メモリに蓄積または印字出力する制御を司るコントローラを備えたことを特徴とする画像形成装置。
【請求項２】
前記制御手段は、前記圧板により固定されて読み込まれて蓄積した画像データファイルを、前記ＡＤＦに挿入した記録紙頁に置き換えてメモリ蓄積または印字出力する制御を行うことを特徴とする請求項１記載の画像形成装置。
【請求項３】
前記制御手段は、前記ＡＤＦ内の挿入頁検知用の指定記録紙を原稿排紙時に原稿と分離する制御を行うことを特徴とする請求項２記載の画像形成装置。
【発明の詳細な説明】
【技術分野】
【０００１】
本発明は、ＡＤＦ機能を備えた画像形成装置に関し、特にＡＤＦの原稿排紙先を複数備えたデジタル複合機に好適な画像形成装置に関する。
【背景技術】
【０００２】
複数の原稿をコピーする手段としてＡＤＦがあるが、ＡＤＦでセットできない原稿が混在した場合、例えばステープラーの針がある原稿の場合や、破れのある原稿の場合等においてはブックタイプ（圧板）でしか対応できない。その原稿をＡＤＦでセットした原稿の任意の頁間に挿入したい場合には、一度圧板を用いてコピー原稿を作成し、挿入すべき頁に挿入後ＡＤＦを動作させる必要が生じる。
このような背景の基に、分割指示シートを検知してファイル分割及び統合することが可能な原稿入力装置が提案されている（例えば特許文献１参照）。
【特許文献１】特開２０００−１３４３８３公報
【発明の開示】
【発明が解決しようとする課題】
【０００３】
上述したように、最近ではドキュメントボックス機能を利用するタイプの原稿入力装置（特開２０００−１３４３８３公報）が開示されているが、挿入箇所が複数ある場合には分割、統合を繰り返さなければ意図した頁に挿入することはできない。
本発明は、ＡＤＦにセットできない原稿データを、圧板にセットした原稿の任意の頁間に容易に挿入することが可能な画像形成装置を提供することを目的とするものである。
【課題を解決するための手段】
【０００４】
上記目的を達成するために、請求項１記載の発明では、シートスルー原稿を自動給紙するＡＤＦを備えた画像形成装置において、前記ＡＤＦにセットした原稿の読み込み時に、既に圧板により固定されて読み込まれて蓄積した画像データファイルを、操作部上で指定した任意の頁に挿入し、メモリに蓄積または印字出力する制御を司るコントローラを備えたことを特徴とする。
請求項２記載の発明では、前記制御手段は、前記圧板により固定されて読み込まれて蓄積した画像データファイルを、前記ＡＤＦに挿入した記録紙頁に置き換えてメモリ蓄積または印字出力する制御を行うことを特徴とする。
請求項３記載の発明では、制御手段は、ＡＤＦ内の挿入頁検知用の指定記録紙を原稿排紙時に原稿と分離する制御を行う請求項２記載の画像形成装置を主要な特徴とする。
【発明の効果】
【０００５】
本発明によれば、ＡＤＦを備えた画像形成装置において、ＡＤＦでセットした原稿の読み込み時に圧板にて既に蓄積した画像データファイルを操作部上で指定した任意の頁に挿入しメモリに蓄積または印字出力する制御を司るコントローラを備えたことにより、所期の目的を達成することができる。
【発明を実施するための最良の形態】
【０００６】
以下、図面を参照して、本発明の実施形態を詳細に説明する。
図１は本発明の実施形態に係る画像形成装置のブロック図である。本画像形成装置は、コントローラ１０、エンジン部２０、操作部３０、スキャナ４０、プロッタ５０、ＡＤＦ６０、ＰＳＵ７０、ＦＡＸ部８０を備える。
コントローラ１０は、システムメモリ（ＲＯＭ）１１と、各種データ格納用メモリ１２と、制御ＡＳＩＣ１３と、ＣＰＵ１４と、省エネ用ＣＰＵ１５と、ＩＤを含む制御データ格納用のＮＶＲＡＭ１６と、給電制御手段１７と、ネットワークＩ／Ｆ１８とを有する。そしてネットワークＩ／Ｆ１８を通して、サーバ１００とＰＣ端末１０１と大容量記憶装置１０２がＬＡＮを介して接続される。
エンジン部２０は、誤差拡散やγ変換などの画像処理を行う画像処理部２１を含むＡＳＩＣ２２と、ＣＰＵ２３及びＲＯＭ２４を有している。ＦＡＸ部８０はＰＣＩ接続で選択可能な構成とし、ＦＡＸ制御を行うＣＰＵ８１と、ＲＯＭ８２と、ＡＳＩＣ８３と、ＦＡＸ画像データを蓄積するメモリ８４と、網制御のために外付けされたＮＣＵ８５を有する。ユニット間の接続はＰＣＩ接続としたが、制御が可能なローカルバス等にしても良い。
図２は本発明の実施形態に係る画像形成装置の簡略構成図である。本体１の上に上述のＡＤＦ６０が搭載されている。
【０００７】
図３は操作部の表示例を示す図、図４は動作例を示すフローチャートである。
先ず圧板での挿入ページを読み込む（Ｓ１）。次に挿入ページ情報を付加してメモリに蓄積し（Ｓ２）、ＡＤＦでの現行の読み込みを開始する（Ｓ３）。そして最終ページでなく（Ｓ４でＮＯのルート）、指定ページでなければ（Ｓ６でＮＯのルート）ＡＤＦ原稿画像をメモリに格納する（Ｓ７）。指定ページであれば（Ｓ６でＹＥＳのルート）圧板原稿画像データに置換する（Ｓ８）。そしてステップＳ４にて最終ページになると（Ｓ４でＹＥＳのルート）、コピー動作あるはファイル蓄積動作を行う（Ｓ５）。
ＡＤＦ６０を通せない原稿、例えばステープラーの針のついたものや穴や破れのあるもの、本のように綴じてある原稿の場合、本体１の上面のコンタクトガラス（図示せず）を被覆する周知の圧板を使用してスキャナ４０から入力された画像データに対して、挿入頁をオペレータに操作部３０上で確認させ、スキャンした画像データファイルと関連させメモリ１２へ蓄積させる。
オペレータが操作部３０上にて続けてＡＤＦ６０の一連動作を行った際に自動で指定した挿入頁に画像データを付加して印字出力することを可能とする。また同様に文章ファイルとして蓄積させるようにしても良い。複数の挿入頁が存在した場合においても挿入頁をそれぞれ指定することにより対応することも考えられる。ここで蓄積した文章ファイルはネットワークＩ／Ｆ１８を通し大容量記憶装置１０２に移動することで、ＰＣ１０１からもアクセス可能とし共有するようにしても良い。
また各種パラメータをＰＣ１０１から設定するようにしても良い。またオペレータが操作部３０上で挿入頁を確認するのを省略し、ＡＤＦ６０上で挿入すべき頁に任意の用紙、例えば白紙の原稿の頁が存在した場合はその頁を挿入頁とし、圧版で読み取って蓄積してある画像データと入れ替えることを可能とする。白紙でなくてもバーコード等が印字されているものをＡＤＦ６０内またはスキャン時に検知することで挿入頁と判断することも考えられる。
【０００８】
白紙検知に関しては特開平６−２２５０５３号公報や特開平９−２８９５６１号公報等、多数従来技術が存在しているのでその機能を用いれば良い。さらに挿入頁として使用した任意の原稿用紙をＡＤＦ６０の原稿排紙先を図２で示す内部トレイ６０−１と外部トレイ６０−２に分けて排紙することを可能とする。
本実施形態によれば、ＡＤＦに原稿を通すことが不可能な原稿を、ＡＤＦを通す原稿の任意の頁に挿入したい場合、ＡＤＦに通すためだけの無駄な原稿コピーを圧板でとらずに済むため記録紙の節約にもなる。
また、指定記録紙により自動で挿入する頁を判断するので、操作部上で挿入頁を設定することなく対応できる。
また、ＡＤＦで原稿をスキャン後に指定記録紙を原稿と区別して排紙することにより、原稿内の挿入頁として指定した不必要な記録紙を抜き取ることなく対応できる。
【図面の簡単な説明】
【０００９】
【図１】本発明の実施形態に係る画像形成装置のブロック図。
【図２】本発明の実施形態に係る画像形成装置の簡略構成図。
【図３】本発明の実施形態に係る画像形成装置の操作部の表示例を示す図。
【図４】本発明の実施形態に係る画像形成装置の動作例を示すフローチャート。
【符号の説明】
【００１０】
１０  コントローラ
６０  ＡＤＦ
【図１】
2005318425.tif 000003
【図２】
2005318425.tif 000004
【図３】
2005318425.tif 000005
【図４】
2005318425.tif 000006